(57)【要約】【課題】プリンタ等の画像形成装置において、用紙の補給をするために媒体カセットを着脱する際に、その媒体カセットに媒体が装填されていると、表示部に媒体設定メニューを表示するものがあるが、媒体種類設定メニューの内容を変更する必要のない場合には、逆に使い勝手が悪いという問題があった。【解決手段】印刷部１３と、画像形成装置１本体に着脱自在に配設される用紙カセット２０と、用紙設定画面３７ａ，３７ｂを表示する液晶ディスプレイ３１と操作入力部（３２〜３６）とを備えた操作パネル１７と、画像形成装置１本体に対する用紙カセット２０の着脱を検知するカセット検知部１５と、判定情報を格納する記憶部１９と時間管理部１８とを有し、カセット検知部１５による検知に同期し、判定情報に基づいて液晶ディスプレイ３１に表示する用紙設定画面３７ａ，３７ｂの表示を制御する操作制御部１２とを備える。【選択図】図１
2020192703.tif 000002
【特許請求の範囲】
【請求項１】
記録媒体に画像を形成する画像形成部と、
前記記録媒体を収容し、装置本体に着脱自在に配設される媒体カセットと、
媒体設定画面を表示する表示部と操作者による入力を受ける操作入力部とを備えた表示操作部と、
前記媒体カセットの、前記装置本体からの引き出し及び／又は前記装置本体への装着を検知するカセット検知部と、
判定情報を格納するデータ格納部を有し、前記カセット検知部による前記検知に同期し、前記判定情報に基づいて前記表示部における前記媒体設定画面の表示を制御する制御部と
を備えたことを特徴とする画像形成装置。
【請求項２】
前記判定情報は、前記表示部に前記媒体設定画面を表示した表示タイミング情報と、該媒体設定画面に基づいて媒体設定の変更が行われたか否かの変更有無記録との履歴、及び判定対象期間であり、
前記制御部は、前記判定対象期間内における前記媒体設定画面の表示回数に対する前記媒体設定の変更の回数の割合に基づいて前記表示部における前記媒体設定画面の表示を制御することを特徴とする請求項１記載の画像形成装置。
【請求項３】
前記制御部は、前記割合が第１の基準値未満の場合に前記媒体設定画面を非表示とすることを特徴とする請求項２記載の画像形成装置。
【請求項４】
前記制御部は、前記割合が第１の基準値以上の場合に前記媒体設定画面を前記表示部に表示することを特徴とする請求項３記載の画像形成装置。
【請求項５】
前記媒体カセットに、前記記録媒体が収容されているか否かを検出する媒体検知部を更に備え、
前記判定情報は、更に、引き出された前記媒体カセットに前記記録媒体が収容されていたか否かの媒体有無記録の履歴を含み、
前記制御部は、前記カセット検知部によって検知された前記媒体カセットの引き出し操作時に、前記記録媒体が収容されていた場合、前記媒体有無記録の履歴のうち、媒体有りの事例を対象にして、前記判定対象期間内における前記媒体設定画面の表示回数に対する前記媒体設定の変更の回数の割合に基づいて前記表示部における前記媒体設定画面の表示を制御することを特徴とする請求項２記載の画像形成装置。
【請求項６】
前記制御部は、前記割合が第２の基準値未満の場合に前記媒体設定画面を非表示とすることを特徴とする請求項５記載の画像形成装置。
【請求項７】
前記制御部は、前記割合が第２の基準値以上の場合に前記媒体設定画面を前記表示部に表示することを特徴とする請求項６記載の画像形成装置。
【請求項８】
前記媒体カセットに、前記記録媒体が収容されているか否かを検出する媒体検知部を更に備え、
前記判定情報は、更に、引き出された前記媒体カセットに前記記録媒体が収容されていたか否かの媒体有無記録の履歴を含み、
前記制御部は、前記カセット検知部によって検知された前記媒体カセットの引き出し操作時に、前記記録媒体が収容されていない場合、前記媒体有無記録の履歴のうち、媒体無しの事例を対象にして、前記判定対象期間内における前記媒体設定画面の表示回数に対する前記媒体設定の変更の回数の割合に基づいて前記表示部における前記媒体設定画面の表示を制御することを特徴とする請求項２記載の画像形成装置。
【請求項９】
前記制御部は、前記割合が第３の基準値未満の場合に前記媒体設定画面を非表示とすることを特徴とする請求項８記載の画像形成装置。
【請求項１０】
前記制御部は、前記割合が第３の基準値以上の場合に前記媒体設定画面を前記表示部に表示することを特徴とする請求項９記載の画像形成装置。
【請求項１１】
前記媒体カセットに、前記記録媒体が収容されているか否かを検出する媒体検知部を更に備え、
前記判定情報は、更に、引き出された前記媒体カセットに前記記録媒体が収容されていたか否かの媒体有無記録の履歴を含み、
前記制御部は、
前記カセット検知部によって検知された前記媒体カセットの引き出し操作時に、前記記録媒体が収容されていた場合、前記媒体有無記録の履歴のうち、媒体有りの事例を対象にして、前記判定対象期間内における前記媒体設定画面の表示回数に対する前記媒体設定の変更の回数の第１の割合に基づいて前記表示部における前記媒体設定画面の表示を制御し、
前記カセット検知部によって検知された前記媒体カセットの引き出し操作時に、前記記録媒体が収容されていない場合、前記媒体有無記録の履歴のうち、媒体無しの事例を対象にして、前記判定対象期間内における前記媒体設定画面の表示回数に対する前記媒体設定の変更の回数の第２の割合に基づいて前記表示部における前記媒体設定画面の表示を制御
することを特徴とする請求項２記載の画像形成装置。
【請求項１２】
前記判定情報は、非表示時間帯と前記画像形成部による印刷処理の発生タイミング情報の履歴と判定対象期間とであり、
前記制御部は、前記カセット検知部によって検知された前記媒体カセットの引き出し時刻が、前記非表示時間帯であり、且つ前記判定対象期間内に印刷処理が行われていない場合に前記媒体設定画面を非表示とすることを特徴とする請求項１記載の画像形成装置。
【請求項１３】
前記判定情報は、印刷時に前記画像形成装置が外部から受信する印刷情報の媒体設定項目値と前記受信時にすでに設定されている媒体設定項目値とが異なるミスマッチの発生タイミング情報の履歴と判定対象期間であり、
前記制御部は、前記判定対象期間内における前記ミスマッチの発生回数に基づいて前記表示部における前記媒体設定画面の表示を制御することを特徴とする請求項１記載の画像形成装置。
【請求項１４】
前記制御部は、前記発生回数が第５の基準値以上の場合に、前記媒体設定画面を前記表示部に表示することを特徴とする請求項１３記載の画像形成装置。
【請求項１５】
前記判定情報は、媒体設定変更の発生タイミング情報の履歴と判定対象期間とであり、
前記制御部は、前記判定対象期間内における前記媒体設定変更の発生回数に基づいて前記表示部における前記媒体設定画面の表示を制御することを特徴とする請求項１記載の画像形成装置。
【請求項１６】
前記制御部は、前記発生回数が第６の基準値以上の場合に、前記媒体設定画面を前記表示部に表示することを特徴とする請求項１５記載の画像形成装置。
【請求項１７】
記録媒体に画像を形成する画像形成部と、
前記記録媒体を収容し、装置本体に着脱自在に配設される媒体カセットと、
媒体設定画面を表示する表示部と操作者による入力を受ける操作入力部とを備えた表示操作部と、
前記媒体カセットの、前記装置本体からの引き出し及び／又は前記装置本体への装着を検出するカセット検知部と、
非表示時間帯を格納するデータ格納部を有する制御部とを備え、
前記制御部は、前記カセット検知部によって検知された前記媒体カセットの引き出し操作時刻と前記非表示時間帯とに基づいて前記表示部における前記媒体設定画面の表示を制御することを特徴とする画像形成装置。
【請求項１８】
データ格納部は、更に、前記画像形成部による印刷処理の発生タイミング情報の履歴及び判定対象期間を格納し、
前記制御部は、前記カセット検知部によって検知された前記媒体カセットの引き出し時刻が、前記非表示時間帯であり、且つ前記判定対象期間内に印刷処理が行われていない場合に前記媒体設定画面を非表示とすることを特徴とする請求項１７記載の画像形成装置。
【発明の詳細な説明】
【技術分野】
【０００１】
本発明は、プリンタ等の画像形成装置に関し、特に印刷に使用する記録媒体を収容するカセットの着脱に伴う用紙設定画面の表示案内に関する。
【背景技術】
【０００２】
従来、例えば、用紙の補給をするために媒体カセットを取り外し、装着する際に、その媒体カセットに媒体が装填されていると、表示部に媒体設定メニューを表示するものがあった（例えば、特許文献１参照）。
【先行技術文献】
【特許文献】
【０００３】
【特許文献１】特開２００４−３４７１１号公報（第７，８頁、図３，４）
【発明の概要】
【発明が解決しようとする課題】
【０００４】
この場合、媒体種類設定メニューの内容を変更する必要のない場合には、ユーザーが、一旦表示された媒体種類設定メニューの表示を終了するための所定の操作を行なうか、或いは媒体種類設定メニューの表示が自動的に終了するまで待つことになったり、ユーザーが所望する媒体設定と装置に設定されている媒体設定とが異なることでミスマッチが起こり、使い勝手がわるいという問題があった。本発明は、媒体カセットを操作する際の作業効率を向上させることを目的とする。
【課題を解決するための手段】
【０００５】
本発明の画像形成装置は、
記録媒体に画像を形成する画像形成部と、
前記記録媒体を収容し、装置本体に着脱自在に配設される媒体カセットと、媒体設定画面を表示する表示部と操作者による入力を受ける操作入力部とを備えた表示操作部と、
前記媒体カセットの、前記装置本体からの引き出し及び／又は前記装置本体への装着を検知するカセット検知部と、判定情報を格納するデータ格納部を有し、前記カセット検知部による前記検知に同期し、前記判定情報に基づいて前記表示部における前記媒体設定画面の表示を制御する制御部と
を備えたことを特徴とする。
【０００６】
本発明による他の画像形成装置は、
記録媒体に画像を形成する画像形成部と、前記記録媒体を収容し、装置本体に着脱自在に配設される媒体カセットと、媒体設定画面を表示する表示部と操作者による入力を受ける操作入力部とを備えた表示操作部と、前記媒体カセットの、前記装置本体からの引き出し及び／又は前記装置本体への装着を検出するカセット検知部と、非表示時間帯を格納するデータ格納部を有する制御部とを備え、
前記制御部は、前記カセット検知部によって検知された前記媒体カセットの引き出し操作時刻と前記非表示時間帯とに基づいて前記表示部における前記媒体設定画面の表示を制御することを特徴とする。
【発明の効果】
【０００７】
本発明によれば、媒体カセットの着脱操作時の状況に応じて、媒体設定画面の表示が行われるため、ユーザーは、記録用紙の補充動作を、円滑に処理することが可能となる。
【図面の簡単な説明】
【０００８】
【図１】本発明に係る実施の形態１の、画像形成装置の制御系の要部構成を示すブロック図である。
【図２】実施の形態１において、操作制御部の記憶部に格納された用紙設定画面非表示時間帯テーブルの構成例を示す表である。
【図３】（ａ）は、実施の形態１において、操作制御部の記憶部の印刷履歴の格納部に格納された印刷履歴を示す表であり、（ｂ）は、同記憶部の印刷履歴判定時間の格納部に格納されたテーブルである。
【図４】（ａ）は、実施の形態１において、操作制御部の記憶部の印刷履歴の格納部に格納された用紙設定変更履歴を示す表であり、（ｂ）は、同記憶部の用紙設定変更履歴判定期間の格納部に格納されたテーブルであり、（ｃ）は、同記憶部の変更実績割合基準値の格納部に格納されたテーブルである。
【図５】実施の形態１において、操作制御部の記憶部に格納された動作モードテーブルの構成例を示す表である。
【図６】操作制御部の記憶部に格納された用紙設定項目テーブルの構成例を示す表である。
【図７】操作パネルの要部構成を示す平面図である。
【図８】（ａ）は、用紙設定の際に、操作パネルの液晶ディスプレイに表示される用紙設定画面群を示し、（ｂ）は、用紙設定画面で呼び出される詳細設定画面群を示す。
【図９】実施の形態１において、印刷制御部及び操作制御部が行う、用紙カセットが引き出された際の、用紙設定画面の表示有無選択処理の流れを示すフローチャートである。
【図１０】図９のフローチャートのステップＳ１０６での「時間帯指定」の動作の流れを示すフローチャートである。
【図１１】実施の形態１において、画像形成装置が行う印刷動作の流れを示すフローチャートである。
【図１２】図９のフローチャートのステップＳ１０７での「自動」の動作の流れを示すフローチャートである。
【図１３】図１２のフローチャートのステップＳ１３１での「用紙設定画面の表示の要否を判定する」の動作の流れを示すフローチャートである。
【図１４】実施の形態１において、操作パネルの液晶ディスプレイに用紙設定画面を表示した際に行われる、用紙設定動作の流れを示すフローチャートである。
【図１５】詳細設定画面群の内、用紙サイズ設定画面、用紙種類設定画面、及び用紙厚設定画面での動作の流れを示すフローチャートである。
【図１６】詳細設定画面群の内、用紙幅設定画面及び用紙長設定画面での動作の流れを示すフローチャートである。
【図１７】図１４のフローチャートのステップＳ１６５での「用紙設定変更履歴を更新する」の動作の流れを示すフローチャートである。
【図１８】本発明に係る実施の形態２の、画像形成装置の制御系の要部構成を示すブロック図である。
【図１９】（ａ）は、実施の形態２において、操作制御部の記憶部に格納された用紙ミスマッチエラー履歴の内容を示す表であり、（ｂ）は、同記憶部の用紙ミスマッチエラー判定期間の格納部に格納されたテーブルであり、（ｃ）は、同記憶部の用紙ミスマッチエラー基準値ｃの格納部に格納されたテーブルである。
【図２０】実施の形態２において、操作制御部の記憶部に格納された動作モードテーブルの構成例を示す表である。
【図２１】実施の形態２において、印刷制御部及び操作制御部が行う、用紙カセットが引き出された際の、用紙設定画面の表示有無選択処理の流れを示すフローチャートである。
【図２２】図２１のフローチャートのステップＳ２０３での「常に表示しない」を実行したときの動作の流れを示すフローチャートである。
【図２３】図２２のフローチャートのステップＳ２１１での「用紙設定画面の表示の要否を判定する」の動作の流れを示すフローチャートである。
【図２４】実施の形態２において、画像形成装置が行う印刷動作の流れを示すフローチャートである。
【図２５】実施の形態２において、操作パネルの液晶ディスプレイに用紙設定画面を表示した際の、用紙設定動作の流れを示すフローチャートである。
【図２６】本発明に係る実施の形態３の、画像形成装置の制御系の要部構成を示すブロック図である。
【図２７】（ａ）は、実施の形態３において、操作制御部の記憶部に格納された用紙設定変更履歴の内容を示す表であり、（ｂ）は、同記憶部の用紙設定変更期間の格納部に格納されたテーブルであり、（ｃ）は、同記憶部の用紙設定変更履歴判定期間の格納部に格納されたテーブルであり、（ｄ）は、同記憶部の変更実績基準値の格納部に格納されたテーブルであり、（ｅ）は、同記憶部の用紙設定変更有無の格納部に格納されたテーブルである。
【図２８】実施の形態３において、印刷制御部及び操作制御部が行う、用紙カセットが引き出された際の、用紙設定画面の表示有無選択処理の流れを示すフローチャートである。
【図２９】図３０のフローチャートのステップＳ３２１での「用紙設定画面の表示の要否を判定する」の動作の流れを示すフローチャートである。
【図３０】図２８のフローチャートのステップＳ３０７での「常に表示しない」を実行したときの動作の流れを示すフローチャートである。
【図３１】実施の形態３において、操作パネルの液晶ディスプレイに用紙設定画面を表示した際の、用紙設定動作の流れを示すフローチャートである。
【図３２】ステップＳ３０５（図２８）で計時が開始された際の操作制御部による計時中動作を示すフローチャートである。
【発明を実施するための形態】
【０００９】
実施の形態１．
図１は、本発明に係る実施の形態１の、画像形成装置１の制御系の要部構成を示すブロック図である。
【００１０】
同図中、印刷制御部１１は、マイクロプロセッサ、ＲＯＭ、ＲＡＭ、入出力ポート、タイマ等によって構成され、上位装置２３から印刷データ及び制御コマンドを受信して画像形成装置１全体をシーケンス制御し、印刷動作を行なわせる。通信部１６は、上位装置２３ヘプリンタ情報を送信すると共に、上位装置２３から入力したコマンドを解析し、上位装置２３から受信したデータを処理して印刷制御部１１に送信する。操作制御部１２は、時刻やタイマによる経過時間等を管理する時間管理部１８、データ格納部としての不揮発性の記憶部１９を備え、ユーザーからのボタン操作を解釈し、画面遷移を制御する。尚、印刷制御部１１と操作制御部１２とが、制御部に相当する。
【００１１】
画像形成装置１は、画像形成装置１本体に対して着脱自在に装着される媒体カセットとしての用紙カセット２０を備え、画像形成部としての印刷部１３は、記録用紙を搬送する搬送部、搬送される記録用紙に転写するトナー画像を形成する現像部、現像部で形成されたトナー画像を記録用紙に転写する転写部、記録用紙に転写されたトナー画像を記録用紙に定着する定着部、印刷した記録用紙が排出されるストッカー部等を備え、印刷制御部１１から種々の制御信号、高圧電圧、印刷データ等を受け、電子写真方式により印刷を実行する。
【００１２】
カセット検知部１５は、画像形成装置１本体に用紙カセット２０が装着されているか否か、即ち用紙カセット２０の引き出し、装着を検出し、その着脱情報を印刷制御部１１に送信し、媒体検知部としての用紙検知部１４は、用紙カセット２０に用紙があるか否かを検出し、その用紙有無情報を印刷制御部１１に送信する。ここでの用紙検知部１４による媒体検出には、例えば用紙カセット２０に載置された記録用紙が、所定の光路の光を遮るか否かを判定する方法、記録用紙の排出動作に伴って記録用紙が排出されるか否かを検知して判定する方法、用紙カセット２０に載置される記録用紙の重さを検出する方法等がある。
【００１３】
表示操作部としての操作パネル１７は、後述するように液晶ディスプレイ３１、テンキー３６等（図７参照）を備え、操作制御部１２が作成した画像データを表示すると共に、ユーザーによる操作ボタン操作による入力データを操作制御部１２に送信する。
【００１４】
記憶部１９には、用紙設定画面非表示時間帯テーブル１９ａ、印刷履歴１９ｂ、印刷履歴判定時間１９ｃ、用紙設定変更履歴１９ｄ、用紙設定変更履歴判定期間１９ｅ、第４の基準値としての変更実績割合基準値１９ｆ、動作モードテーブル１９ｇ、及び用紙設定項目テーブル１９ｈを格納する各格納部が備えられている。
【００１５】
図２は、操作制御部１２の記憶部１９に格納された用紙設定画面非表示時間帯テーブル１９ａの構成例を示す表であり、ここでは、用紙設定画面非表示時間帯として、時間帯番号１の時刻８時（用紙設定画面非表示開始時刻）〜９時（用紙設定画面非表示終了時刻）、と時間帯番号２の時刻１３時（用紙設定画面非表示開始時刻）〜１４時（用紙設定画面非表示終了時刻）の２つの時間帯が設定されている。
【００１６】
図３（ａ）は、操作制御部１２の記憶部１９の印刷履歴１９ｂの格納部に格納された印刷履歴を示す表であり、ここでは、発生番号１〜５で示す印刷が、各発生番号に対応する、印刷処理の発生タイミング情報としての印刷日時に発生していることを記憶している。
【００１７】
図３（ｂ）は、操作制御部１２の記憶部１９の印刷履歴判定時間１９ｃの格納部に格納されたテーブルであり、ここでは印刷履歴判定時間として１時間が設定されている。尚、印刷履歴判定時間は、後述するように、用紙設定画面の表示要否を判定する際に、印刷履歴１９ｂを、どの時点まで遡って判定するか、その時間を示している。尚、各発生番号に対応する印刷発生事例を、以後、印刷履歴要素と称す場合がある。
【００１８】
図４（ａ）は、操作制御部１２の記憶部１９の印刷履歴１９ｂの格納部に格納された用紙設定変更履歴１９ｄを示す表であり、発生番号１〜１０で示す用紙カセット操作が、各発生番号に対応するカセット操作日時に発生したことを、その操作時の、用紙カセット２０の用紙状況（用紙の有無）及び用紙設定変更結果（用紙設定変更操作の有無）と共に記憶している。尚、各発生番号に対応する用紙設定変更発生事例を、以後、用紙設定変更履歴要素と称す場合がある。
【００１９】
但し、この用紙設定変更履歴１９ｄでは、用紙カセット操作の操作に伴って、後述する用紙設定画面が表示された場合の用紙設定変更履歴要素（用紙カセット操作）のみリストアップしている。従って、用紙設定変更履歴１９ｄにリストアップされる発生回数（ここでは１０回）は、用紙設定画面が表示された回数に相当し、カセット操作日時が、媒体設定画面を表示した表示タイミング情報に相当する。
【００２０】
また、「用紙カセット操作時の用紙状況」とは、用紙カセット２０が、本体から引き出される直前に、用紙カセット２０に記録用紙が残っているか否かの記録であり、「用紙設定変更操作結果」は、用紙カセット２０が引き出された後、用紙設定画面にて用紙設定が変更されたか否かの記録である。
【００２１】
図４（ｂ）は、操作制御部１２の記憶部１９の用紙設定変更履歴判定期間１９ｅの格納部に格納されたテーブルであり、ここでは判定対象期間としての用紙設定変更履歴判定期間として７日間が設定されている。尚、用紙設定変更履歴判定期間は、後述するように、用紙設定画面の表示要否を判定する際に、カセット操作の発生を、どの時点まで遡って判定するか、その期間を示している。ここでは日単位で設定される。
【００２２】
図４（ｃ）は、操作制御部１２の記憶部１９の変更実績割合基準値１９ｆの格納部に格納されたテーブルであり、ここでは変更実績割合基準値１９ｆとして０．３が設定されている。尚、変更実績割合基準値１９ｆは、後述するように、用紙設定画面の表示要否の判定に利用される基準値である。
【００２３】
図５は、操作制御部１２の記憶部１９に格納された動作モードテーブル１９ｇの構成例を示す表であり、ここでは、用紙カセット２０が引き出された際にどのように振る舞うかを規定する動作モードの選択肢と、現在の設定値を保持する。ここでは、選択肢として、「時間帯指定」、「自動」、「常に表示」、「常に表示しない」が用意され、動作モードの現在の設定値として「時間帯指定」が選択されている状態を示している。
【００２４】
図６は、操作制御部１２の記憶部１９に格納された用紙設定項目テーブル１９ｈの構成例を示す表である。ここでは、５つの用紙設定項目である「用紙サイズ」、「用紙幅」、「用紙長」、「用紙種類」、及び「用紙厚」と、各項目の選択肢が対応して記録され、更に用紙設定項目毎に、現在選択されている設定値が記録されている。
【００２５】
図７は、表示操作部としの操作パネル１７の要部構成を示す平面図である。同図に示すように、操作パネル１７は、液晶ディスプレイ３１、カーソル上ボタン３２、カーソル下ボタン３３、バックボタン３４、ＯＫボタン３５、及びテンキー３６を備える。尚、液晶ディスプレイ３１が表示部に相当し、カーソル上ボタン３２、カーソル下ボタン３３、バックボタン３４、ＯＫボタン３５、及びテンキー３６が操作入力部に相当する。
【００２６】
図８（ａ）は、後述する用紙設定の際に、操作パネル１７の液晶ディスプレイ３１に表示される用紙設定画面群３７を示し、同図（ｂ）は、用紙設定画面で呼び出される詳細設定画面群３８を示す。
【００２７】
用紙設定画面群３７は、後述する用紙設定画面の表示動作に基づいて操作パネル１７の液晶ディスプレイ３１に表示される表示画面を示し、用紙設定画面３７ａはその１頁目を示し、用紙設定画面３７ｂはその２頁目を示す。ここでは、図６の用紙設定項目テーブル１９ｈから、５つの用紙設定項目が２頁にわたって表示される。
【００２８】
詳細設定画面群３８は、５つの用紙設定項目のそれぞれに対応した選択肢を示す詳細設定画面の各表示例を示す。例えば用紙サイズの選択肢を示す用紙サイズ設定画面３８ａでは、図６に示す用紙設定項目（用紙サイズ）の選択肢を５頁にわたって表示し、用紙種類の選択肢を示す用紙種類設定画面３８ｄでは、図６に示す用紙設定項目（用紙種類）の選択肢を２頁にわたって表示し、用紙厚の選択肢を示す用紙厚設定画面３８ｅでは、図６に示す用紙設定項目（用紙厚）の選択肢を２頁にわたって表示する。
【００２９】
また、用紙サイズの選択肢で、カスタムサイズ（図６）が選択された場合、詳細設定画面群３８で、用紙幅を入力するための用紙幅設定画面３８ｂ及び用紙長を入力するための用紙長設定画面３８ｃが表示され、用紙サイズをユーザーが入力設定できる構成となっている。
【００３０】
尚、図５に示す動作モードテーブル１９ｇにおける動作モードの設定は、印刷待機中のタイミングで、例えば操作パネル１７（図７）に配備した図示しないモード設定ボタンを押下して動作モードの選択肢を液晶ディスプレイ３１に表示させ、カーソル上ボタン３２、カーソル下ボタン３３、及びＯＫボタン３５を操作して、動作モードを選択するものである。また、非表示時間帯テーブル１９ａ、印刷履歴判定時間１９ｃ、用紙設定変更履歴判定期間１９ｅ、変更実績割合基準値１９ｆ、等の設定についても、印刷待機中のタイミングで、例えば操作パネル１７（図７）に配備した図示しない各設定ボタンを押下して各テーブル内容を液晶ディスプレイ３１に表示させ、テンキー等を操作して、数値設定するものである。
【００３１】
以上の構成において、印刷制御部１１及び操作制御部１２が行う、用紙カセット２０が引き出された際の、用紙設定画面の表示有無選択処理の内容について説明する。図９は、このとき実施される処理の流れを示すフローチャートであり、このフローチャートに沿って説明する。
【００３２】
印刷制御部１１は、カセット検知部１５からの情報により、用紙カセット２０が引き出されたか否かを監視し（ステップＳ１０１）、引き出されたことを検知すると（ステップＳ１０１，Ｙｅｓ）、操作制御部１２に通知する。
【００３３】
操作制御部１２は、この通知を受けて、現在の日時をカセット操作日時として一時的に保持し（ステップＳ１０２）、用紙カセット２０が引き出される直前の用紙状況、即ち用紙カセット２０に記録用紙が存在するか否かの判定結果を一時的に保持し（ステップＳ１０３）、更に、現時点での用紙設定値（用紙設定項目テーブル１９ｈ（図６）の現在の設定値に相当）を、旧設定値として一時的に保持する（ステップＳ１０４）。
【００３４】
次に操作制御部１２は、動作モードの現在の設定値（動作モードテーブル１９ｇ（図５）の現在の設定値に相当）を判定し（ステップＳ１０５）、設定値が「時間帯指定」の場合、「時間帯指定」の動作を実行し（ステップＳ１０６）、設定値が「自動」の場合、「自動」の動作を実行し（ステップＳ１０７）、設定値が「常に表示する」の場合、用紙設定画面を表示し（ステップＳ１０８）、更に設定値が「常に表示しない」の場合、何もせずに（ステップＳ１０９）、動作を終了する。尚、ステップＳ１０８での表示動作については、後述する（図１４参照）。
【００３５】
図１０は、図９のフローチャートのステップＳ１０６での「時間帯指定」の動作の流れを示すフローチャートである。同フローチャートを参照しながら「時間帯指定」の動作について説明する。
【００３６】
操作制御部１２は、現在時刻が、用紙設定画面非表示時間帯テーブル１９ａ（図２）に設定されている時間帯、即ち、時刻８：００〜９：００或いは時刻１３：００〜１４：００の何れかの時間帯の時刻であるか否かを判定（判定Ａ）し、その判定結果Ａ（Ｙｅｓ，又はＮｏ）を一時保存し（ステップＳ１１１）、次に現在時刻から、印刷履歴判定時間１９ｃ（図３（ｂ））で指定した時間（ここでは１時間）だけ遡った時刻までの間に、印刷が行われたか否かを、印刷履歴１９ｂ（図３（ａ））を参照して判定（判定Ｂ）し、その判定結果Ｂ（Ｙｅｓ，又はＮｏ）を一時保存する（ステップＳ１１２）。
【００３７】
次に操作制御部１２は、判定結果ＡがＮｏ、或いは判定結果ＢがＹｅｓの場合、即ち現在時刻が用紙設定画面非表示時間帯でない場合、又は過去１時間までの間に印刷が行われた場合（ステップＳ１１３、Ｙｅｓ）、用紙設定画面を表示し（ステップＳ１１４）、現在時刻が用紙設定画面非表示時間帯であり且つ過去１時間までの間に印刷が行われていない場合のみ（ステップＳ１１３、Ｎｏ）、用紙設定画面を表示しないでこのフローを終了する。尚、ステップＳ１１４の「用紙設定画面を表示する」の動作については、後述する（図１４参照）。
【００３８】
ここで画像形成装置１が行う印刷動作について説明する。図１１は、この印刷動作の流れを示すフローチャートであり、このフローチャートに沿って説明する。
【００３９】
印刷制御部１１は、通信部１６より印刷データを受信したことを検知すると（ステップＳ１２１、Ｙｅｓ）、その受信日時を時間管理部１８から取得し、印刷履歴１９ｂ（図３）に、新たな印刷発生番号（連番）及び印刷日時を新たな印刷履歴要素として登録し（ステップＳ１２２）、印刷データを処理し、印刷部１３によって印刷を実行する（ステップＳ１２３）。
【００４０】
図１２は、図９のフローチャートのステップＳ１０７での「自動」の動作の流れを示すフローチャートである。同フローチャートを参照しながら「自動」の動作について説明する。
【００４１】
操作制御部１２は、用紙設定画面の表示の要否を判定し（ステップＳ１３１）、判定結果が「要」の場合（ステップＳ１３２、Ｙｅｓ）、用紙設定画面を表示し（ステップＳ１３３）、判定結果が「否」の場合（ステップＳ１３２、Ｎｏ）、用紙設定画面を表示せずにフローを終了する。尚、ステップＳ１３３での表示動作については、後述する（図１４参照）。
【００４２】
図１３は、図１２のフローチャートのステップＳ１３１での「用紙設定画面の表示の要否を判定する」の動作の流れを示すフローチャートである。同フローチャートを参照しながら「用紙設定画面の表示の要否判定」動作について説明する。
【００４３】
操作制御部１２は、ステップＳ１０１（図９）で検知した用紙カセット２０の引き出し時に、用紙カセット２０にまだ記録用紙があったか否かを判定する。このため、ステップＳ１０３（図９）で一時保存した記録用紙の有無を確認し、記録用紙が有った場合（ステップＳ１４１、Ｙｅｓ）、ステップＳ１４２に進み、記録用紙がなかった場合には（ステップＳ１４１、Ｎｏ）、ステップＳ１４３に進む。
【００４４】
記録用紙が有った場合、ステップＳ１４２、ステップＳ１４４〜ステップＳ１４７までの間に、用紙設定変更履歴１９ｄ（図４（ａ））の中から、カセット操作時の用紙状況が「用紙有り」の発生件数と、カセット操作時の用紙状況が「用紙有り」で且つ用紙設定変更操作結果が「用紙設定変更有り」の発生件数（変更実績数）とを、用紙設定変更履歴判定期間１９ｅ（図４（ｂ））だけ遡って検索する。
【００４５】
このため、ステップＳ１４２では、用紙設定変更履歴１９ｄからの抽出条件１を、
抽出条件１＝
（操作日時が用紙設定変更履歴判定期間内であり、且つカセット操作時の用紙状況が「用紙有り」）
とし、この条件にあった抽出条件１の発生例(用紙設定変更履歴要素)を集合１として確保する（ステップＳ１４４）。
【００４６】
このステップＳ１４４からステップＳ１４７の間に、集合１の中から、更に「用紙設定変更有り」の事例数を変更実績数として抽出し（ステップＳ１４５）、用紙設定画面を表示した回数（ここでは、カセット操作の発生回数、集合１の合計数に相当する）を変更機会数としてカウントする（ステップＳ１４６）。
【００４７】
一方、記録用紙が無かった場合、ステップＳ１４３〜ステップＳ１４７までの間に、用紙設定変更履歴１９ｄ（図４（ａ））の中から、カセット操作時の用紙状況が「用紙無し」の発生件数と、カセット操作時の用紙状況が「用紙無し」で且つ用紙設定変更操作結果が「用紙設定変更有り」の発生件数（変更実績数）とを、用紙設定変更履歴判定期間１９ｅ（図４（ｂ））だけ遡って検索する。
【００４８】
このため、ステップＳ１４３では、用紙設定変更履歴１９ｄからの抽出条件２を、
抽出条件２＝
（操作日時が用紙設定変更履歴判定期間内であり、且つカセット操作時の用紙状況が「用紙無し」）
とし、この条件にあった抽出条件２の発生例(用紙設定変更履歴要素)を集合２として確保する（ステップＳ１４４）。
このステップＳ１４４からステップＳ１４７の間に、集合２の中から、更に「用紙設定変更有り」の事例数を変更実績数として抽出し（ステップＳ１４５）、用紙設定画面を表示した回数（ここでは、カセット操作の発生回数、集合２の合計数に相当する）を変更機会数としてカウントする（ステップＳ１４６）。
【００４９】
以上のステップにて、「変更実績数」と「変更機会数」を生成し、下記不等式によって用紙設定画面の表示の要否を判定する（ステップＳ１４８）。
「変更実績数」／「変更機会数」≧変更実績割合基準値１９ｆ（図４（ｃ））
上記不等式が成立する場合（ステップＳ１４８、Ｙｅｓ）、判定結果を「要」とし（ステップＳ１４９）、上記不等式が成立しない場合（ステップＳ１４８、Ｎｏ）判定結果を「否」とし（ステップＳ１５０）、このフローを終了する。
【００５０】
ここで、図１３に示すフローが、図４の用紙設定変更履歴１９ｄの値に基づいて実施された場合について、具体的に説明する。
例えば、
・ステップＳ１０１で用紙カセット２０が引き出された日時：
「２０１８年１１月０４日１３時０６分００秒」
・引き出し時の用紙状況：  「用紙有り」
・用紙設定変更履歴判定期間：  ７日
・変更実績割合基準値：  ０．３
とした場合、
・変更実績数：  １
・変更機会数：  ８
・変更実績割合：  １／８＝０．１２５
となり、用紙設定画面の表示要否の判定は、「否」と判定される。
【００５１】
図１４は、前記したステップＳ１０８、Ｓ１１４、Ｓ１３３等において、操作パネル１７（図７）の液晶ディスプレイ３１に用紙設定画面（図８（ａ）参照）を表示した際に行われる、用紙設定動作の流れを示すフローチャートであり、同フローチャートを参照しながら、ユーザーによる用紙設定動作について説明する。
【００５２】
操作制御部１２は、ユーザーによる操作ボタンの操作を監視し、操作された場合はそのボタン操作を判定する（ステップＳ１６１）。カーソル上ボタン３２（図７）が押下された場合、操作制御部１２は、カーソルを１行上に移動する（ステップＳ１６２）。但し、カーソルが既に１行目にある場合は、前のページの最下行にカーソルを移動する。カーソル下ボタン３３が押下された場合、操作制御部１２は、カーソルを１行下に移動する（ステップＳ１６３）。但し、カーソルが既に最下行にある場合は、次のページの１行目にカーソルを移動する。
【００５３】
ＯＫボタン３５が押下された場合、操作制御部１２は、詳細設定画面群３８（図８（ｂ））のうち、カーソル行に対応する画面を表示し、その処理を行う（ステップＳ１６４）。尚、詳細設定画面群３８の処理については、図１５、図１６を用いて後で説明する。バックボタン３４が押下された場合、操作制御部１２は、用紙設定変更履歴を更新する（ステップＳ１６５）。尚、用紙設定変更履歴の更新処理については、図１７を用いて後で説明する。
【００５４】
図１５は、図１４のステップＳ１６４における処理において、詳細設定画面群３８の内、用紙サイズ設定画面３８ａ、用紙種類設定画面３８ｄ、及び用紙厚設定画面３８ｅでの動作の流れを示すフローチャートであり、同フローチャートを参照しながら各種の設定動作について説明する。
【００５５】
操作制御部１２は、ユーザーによる操作ボタンの操作を監視し、操作された場合はそのボタン操作を判定する（ステップＳ１７１）。カーソル上ボタン３２が押下された場合、操作制御部１２は、カーソルを１行上に移動する（ステップＳ１７２）。但し、カーソルが既に１行目にある場合は、前のページの最下行にカーソルを移動する。カーソル下ボタン３３が押下された場合、操作制御部１２は、カーソルを１行下に移動する（ステップＳ１７３）。但し、カーソルが既に最下行にある場合は、次のページの１行目に、カーソルを移動する。
【００５６】
ＯＫボタン３５が押下された場合、操作制御部１２は、カーソル行に対応する値を、用紙設定項目テーブル１９ｈ（図６）の用紙設定項目の現在の設定値の列の該当行に記憶する（ステップＳ１７４）。バックボタン３４が押下された場合、操作制御部１２は、元の画面に戻し（ステップＳ１７５）、処理を終了する。
【００５７】
図１６は、図１４のステップＳ１６４における処理において、詳細設定画面群３８の内、用紙幅設定画面３８ｂ及び用紙長設定画面３８ｃでの動作の流れを示すフローチャートであり、同フローチャートを参照しながら各種の設定動作について説明する。
【００５８】
操作制御部１２は、ユーザーによる操作ボタンの操作を監視し、操作された場合はそのボタン操作を判定する（ステップＳ１８１）。カーソル上ボタン３２が押下された場合、操作制御部１２は、画面に表示した現在の数値を１増す（ステップＳ１８２）。但し、数値が既に上限値である場合は、なにもしない。カーソル下ボタン３３が押下された場合、操作制御部１２は、画面に表示した現在の数値を１減ずる（ステップＳ１８３）。但し、数値が既に下限値である場合は、なにもしない。
【００５９】
テンキー３６が押下された場合、操作制御部１２は、押下された数字キーの数字を、画面に表示した現在の数値の最下位に付加する（ステップＳ１８４）。ＯＫボタン３５が押下された場合、操作制御部１２は、画面に表示した現在の数値を、用紙設定項目テーブル１９ｈ（図６）の用紙設定項目の現在の設定値の列の該当行に記憶する（ステップＳ１８５）。バックボタン３４が押下された場合、操作制御部１２は、元の画面に戻し（ステップＳ１８６）、処理を終了する。
【００６０】
図１７は、図１４のフローチャートのステップＳ１６５での「用紙設定変更履歴を更新する」の動作の流れを示すフローチャートであり、同フローチャートを参照しながら、その動作について説明する。尚、このフローチャートは、前記したステップＳ１０８、Ｓ１１４、Ｓ１３３等において、操作パネル１７（図７）の液晶ディスプレイ３１に用紙設定画面（図８（ａ））が表示されるのに同期してスタートするものである。
【００６１】
操作制御部１２は、用紙設定変更履歴１９ｄ（図４（ａ）参照）の、次の発生番号（連番）の行に、新たな用紙設定変更履歴要素を記録する領域を確保する（ステップＳ１９１）。操作制御部１２は、用紙設定変更履歴１９ｄに、前記したステップＳ１０２（図９）で一時的に保持したカセット操作日時を、新たに発生した履歴データとして該当領域（カセット操作日時の列の該当行）に記憶する（ステップＳ１９２）。次に操作制御部１２は、用紙設定変更履歴１９ｄに、前記したステップＳ１０３（図９）で一時的に保持した用紙状況を、新たに発生した履歴データ（用紙の有無）として該当領域（用紙状況の列の該当行）に記憶する（ステップＳ１９３）。
【００６２】
次に操作制御部１２は、前記したステップＳ１０４で一時的に保持した旧設定値と、用紙設定項目テーブル１９ｈ（図６参照）の現在の設定値とを比較し（ステップＳ１９４）、一致しない場合（ステップＳ１９４、Ｎｏ）、用紙設定変更履歴１９ｄ（図４）に、「用紙設定変更有り」を、新たに発生した履歴データとして該当領域（変更操作結果の列の該当行）に記憶し（ステップＳ１９５）、一致する場合（ステップＳ１９４、Ｙｅｓ）、用紙設定変更履歴１９ｄ（図４）に、「用紙設定変更無し」を、新たに発生した履歴データとして該当領域（変更操作結果の列の該当行）に記憶する（ステップＳ１９３）。
【００６３】
尚、このフローチャートは、前記したステップＳ１０８、Ｓ１１４、Ｓ１３３等において、操作パネル１７（図７）の液晶ディスプレイ３１に用紙設定画面（図８（ａ））が表示されるのに同期してスタートするものであるが、ユーザーが、例えば操作パネル１７（図７）に配備した図示しない設定画面表示ボタンを押下することにより、用紙設定画面（図８（ａ））が表示されるように構成し、更にこの表示動作に同期してスタートするものであってもよい。
【００６４】
以上のように、印刷制御部１１及び操作制御部１２が行う、用紙カセット２０が引き出された際の、用紙設定画面の表示有無選択処理によれば、以下のような特徴を有する。
【００６５】
動作モードが「時間帯指定」の場合、現在時刻が用紙設定画面非表示時間帯であり且つ現時刻と、現時刻から印刷履歴判定時間だけ遡った時刻との間に印刷が行われていない場合、用紙カセット２０を引き出しても用紙設定画面が表示されない。
【００６６】
画像形成装置１が利用される環境として、病院、薬局、地方公共団体の窓口などが挙げられる。これらの環境では、用紙切れが発生すると、患者や市民などサービス利用者を待たせることになってしまう。そういった事態を回避するため、用紙残量をつねに十分に維持する目的で、用紙残量の多少に関わらず、窓口を開ける前や昼休みなど、定期的に用紙を補充する運用が考えられる。この様な場合、用紙設定を変更することなく用紙を補充することが大半である。本実施の形態の画像形成装置１によれば、このような時間帯に上記用紙設定画面非表示時間帯を設定することによって、用紙設定画面を非表示とすることができるため、画面に煩わされることなく円滑に用紙を補充することが可能となる。
【００６７】
また動作モードが「自動」の場合、用紙カセット２０を引き出した時の用紙状況（記録用紙があるか否か）によって、用紙設定画面を表示するか否かの判定基準がことなり、
・記録用紙が存在する場合、所定期間（用紙設定変更履歴判定期間１９ｅ）に行われた用紙カセット２０の引き出し操作で、記録用紙が存在した事例にしぼって、用紙設定変更ありの変更実績割合を算出して基準値（変更実績割合基準値１９ｆ）と比較し、
・記録用紙が存在しない場合、所定期間（用紙設定変更履歴判定期間１９ｅ）に行われた用紙カセット２０引き出し操作で、記録用紙が存在しなかった事例にしぼって、用紙設定変更ありの変更実績割合を算出して基準値（変更実績割合基準値１９ｆ）と比較し、
変更実績割合が基準値以上であった場合に用紙設定画面を表示するようにしている。
【００６８】
このため、例えば、変更実績割合基準値１９ｆを、より変更実績割合が高くなると思われる事例（ここでは、記録用紙が有る場合）の変更実績割合を、判定の対象として基準値（変更実績割合基準値１９ｆ）を定めることにより、記録用紙の有無にかかわらずに比較する場合に比べて、より効率的に用紙設定画面の表示、非表示を決定することができる。
【００６９】
尚、本実施の形態では、記録用紙の有無に拘わらず、変更実績割合基準値１９ｆを固定したが、記録用紙の有無に応じて、より適した変更実績割合基準値１９ｆを第２の基準値及び第３の基準値として別々に用意し、切り替えるように構成してもよい。この場合、更により効率的に用紙設定画面の表示、非表示を決定することができる。
【００７０】
また本実施の形態では、動作モードが「自動」の場合、用紙カセット２０の引き出し時に、記録用紙の有無によって、変更実績割合の算出方法を変えたが、これに限定されるものではなく、記録用紙の有無にかかわらずに変更実績割合を算出し、第１の基準値としての変更実績割合基準値１９ｆとの比較により、用紙設定画面の表示／非表示を決めるようにしてもよい。
【００７１】
従って、本実施の形態の画像形成装置１によれば、用紙カセットの操作時において、不必要なタイミングで用紙設定画面が表示されるのを防止できるため、ユーザーは、記録用紙の補充動作を、円滑に処理することが可能となる。
【００７２】
実施の形態２．
図１８は、本発明に係る実施の形態２の、画像形成装置２の制御系の要部構成を示すブロック図である。
【００７３】
この画像形成装置２が、前記した図１に示す実施の形態１の画像形成装置１と主に異なる点は、操作制御部２１２の記憶部２１９の記憶内容と、操作制御部２１２による動作処理内容である。従って、図１８に示す実施の形態２の画像形成装置２が、前記した図１に示す実施の形態１の画像形成装置と共通する部分には同符号を付して、或いは図面を省いて説明を省略し、異なる点を重点的に説明する。
【００７４】
データ格納部としての記憶部２１９には、用紙ミスマッチエラー履歴２１９ａ、用紙ミスマッチエラー判定期間２１９ｂ、用紙ミスマッチエラー基準値２１９ｃ、動作モードテーブル２１９ｄ、用紙設定項目テーブル２１９ｅを格納する各格納部が備えられている。
【００７５】
図１９（ａ）は、表示操作制御部としての操作制御部２１２の記憶部２１９に格納された用紙ミスマッチエラー履歴２１９ａの内容を示す表であり、発生番号１〜１０で示す用紙ミスマッチエラーが、各発生番号に対応する用紙ミスマッチエラー発生日時に発生したことを記憶している。尚、用紙ミスマッチエラー発生日時がミスマッチの発生タイミング情報に相当し、各発生番号に対応する用紙ミスマッチエラー発生事例を、以後、用紙ミスマッチエラー履歴要素と称す場合がある。
【００７６】
図１９（ｂ）は、操作制御部２１２の記憶部２１９の用紙ミスマッチエラー判定期間２１９ｂの格納部に格納されたテーブルであり、ここでは判定対象期間としての用紙ミスマッチエラー判定期間として７日間が設定されている。尚、用紙ミスマッチエラー判定期間は、後述するように、用紙設定画面の表示要否を判定する際に、用紙ミスマッチエラーの発生期間を、どの時点まで遡って判定するか、その期間を示している。ここでは日単位で設定される。
【００７７】
図１９（ｃ）は、操作制御部２１２の記憶部２１９の用紙ミスマッチエラー基準値２１９ｃの格納部に格納されたテーブルであり、ここでは用紙ミスマッチエラー基準値２１９ｃとして５が設定されている。尚、第５の基準値としての用紙ミスマッチエラー基準値は、後述するように、用紙設定画面の表示要否の判定に利用される基準値である。
【００７８】
図２０は、操作制御部２１２の記憶部２１９に格納された動作モードテーブル２１９ｄの構成例を示す表であり、用紙カセット２０が引き出された際にどのように振る舞うかを規定する動作モードの選択肢と、現在の設定値を保持する。ここでは、選択肢として、「常に表示」、「常に表示しない」が用意され、動作モードの現在の設定値として「常に表示しない」が選択されている状態を示している。
【００７９】
操作制御部２１２の記憶部２１９に格納された用紙設定項目テーブル２１９ｅは、ここでは前記図６で示した用紙設定項目テーブル１９ｈと同一であるため、ここでの説明は省略する。また操作パネル１７の構成、操作方法、及び操作に伴う表示内容において、前記した実施の形態１の、図７、図８、図１５、図１６を用いて説明した構成及び動作に関しては、同一の説明となるため、ここでの記述を省略する。
【００８０】
以上の構成において、印刷制御部１１及び操作制御部２１２が行う、用紙カセット２０が引き出された際の、用紙設定画面の表示有無選択処理の内容について説明する。図２１は、このとき実施される処理の流れを示すフローチャートであり、このフローチャートに沿って説明する。
【００８１】
印刷制御部１１は、カセット検知部１５からの情報により、用紙カセット２０が引き出されたか否かを監視し（ステップＳ２０１）、引き出されたことを検知すると（ステップＳ２０１，Ｙｅｓ）、操作制御部２１２に通知する。
【００８２】
次に操作制御部２１２は、動作モードの現在の設定値（動作モードテーブル２１９ｄ（図２０）の現在の設定値に相当）を判定し（ステップＳ２０２）、設定値が「常に表示する」の場合、用紙設定画面を表示し（ステップＳ２０４）、又は設定値が「常に表示しない」の場合、後述する「常に表示しない」の動作を実行する（ステップＳ２０３）。尚、ステップＳ２０４での表示動作については、後述する（図２５参照）。
【００８３】
図２２は、図２１のフローチャートのステップＳ２０３での「常に表示しない」を実行したときの動作の流れを示すフローチャートである。同フローチャートを参照しながらその動作について説明する。
【００８４】
操作制御部２１２は、用紙設定画面の表示の要否を判定し（ステップＳ２１１）、判定結果が「要」の場合（ステップＳ２１２、Ｙｅｓ）、用紙設定画面を表示し（ステップＳ２１３）、判定結果が「否」の場合（ステップＳ２１２、Ｎｏ）、用紙設定画面を表示せずにフローを終了する。尚、ステップＳ２１３での表示動作については、後述する（図２５参照）。
【００８５】
図２３は、図２２のフローチャートのステップＳ２１１での「用紙設定画面の表示の要否を判定する」の動作の流れを示すフローチャートである。同フローチャートを参照しながら「用紙設定画面の表示の要否の判定」動作について説明する。
【００８６】
操作制御部２１２は、先ず用紙ミスマッチエラー発生回数＝０とする（Ｓ２２１）。そして、ステップＳ２２２〜ステップＳ２２５までの間に、「用紙ミスマッチエラー」の発生件数を、用紙ミスマッチエラー判定期間２１９ｂ（図１９（ｂ）参照）だけ遡ってカウントする。
【００８７】
このため、用紙ミスマッチエラー履歴２１９ａ（図１９）にあるミスマッチ発生例（用紙ミスマッチエラー履歴要素：ここでは発生番号１〜１０の事例）を集合３として確保し（ステップＳ２２２）、このステップＳ２２２からステップＳ２２５までの間に、集合３に対して用紙ミスマッチエラー判定期間内に発生した事例か否かを順次判別し（ステップＳ２２３）、判定期間内の事例であった場合には（ステップＳ２２３、Ｙｅｓ）、用紙ミスマッチエラー発生回数を１カウントアップする（ステップＳ２２４）。
【００８８】
例えば、図１９（ａ）に示す用紙ミスマッチエラー履歴２１９ａの場合、用紙ミスマッチエラー判定期間２１９ｂを（７日）とすると、現日時１１月４日から６日前の１０月２９日以降に発生した事例（用紙ミスマッチエラー履歴要素数）をカウントすることになるので、用紙ミスマッチエラー発生回数は「１０」になる。
【００８９】
操作制御部２１２は、カウントした用紙ミスマッチエラー発生回数が、用紙ミスマッチエラー基準値２１９ｃ（図１９（ｃ）参照）以上か否かを判定し（ステップＳ２２６）、基準値以上の場合（ステップＳ２２６、Ｙｅｓ）、判定結果を「要」とし（ステップＳ２２７）、基準値未満の場合（ステップＳ２２６、Ｎｏ）判定結果を「否」とし（ステップＳ２２８）、このフローを終了する。
【００９０】
ここで、本実施の形態の画像形成装置２が行う印刷時の動作について説明する。図２４は、画像形成装置２が行う印刷動作の流れを示すフローチャートであり、このフローチャートに沿って説明する。
【００９１】
印刷制御部１１は、通信部１６より印刷データを受信したことを検知すると（ステップＳ１２１、Ｙｅｓ）、印刷データの用紙設定と、用紙設定項目テーブル２１９ｅ（＝１９ｈであり、図６参照）の現在の設定値とを比較する（ステップＳ２３２）。
【００９２】
ここで一致しない場合（ステップＳ２３２、Ｎｏ）、操作制御部２１２は、用紙ミスマッチエラー履歴２１９ａに、新たな用紙ミスマッチエラー履歴要素を追加する（ステップＳ２３３）。具体的には、用紙ミスマッチエラー発生日時として現在の日時を設定する。そして印刷制御部１１は、操作パネル１７の、図示しないユーザー入力ボタンへのユーザー入力に応じて印刷を中止する等、用紙ミスマッチエラーの処理を実行する（Ｓ２３４）。
【００９３】
一方、ステップＳ２３２で、印刷データに含まれる用紙設定と、用紙設定項目テーブル２１９ｅ（＝１９ｈであり、図６参照）の現在の設定値とが一致していると判定された場合（ステップＳ２３２、Ｙｅｓ）、印刷データを処理し、印刷部１３によって印刷を実行する（ステップＳ２３５）。
【００９４】
図２５は、前記したステップＳ２０４（図２１）、ステップＳ２１３（図２２）等で、操作パネル１７（図７）の液晶ディスプレイ３１に用紙設定画面（図８（ａ）参照）を表示した際の、用紙設定動作の流れを示すフローチャートであり、同フローチャートを参照しながら用紙設定動作について説明する。
【００９５】
操作制御部２１２は、ユーザーによる操作ボタンの操作を監視し、操作された場合はそのボタン操作を判定する（ステップＳ２４１）。カーソル上ボタン３２が押下された場合、操作制御部１２は、カーソルを１行上に移動する（ステップＳ２４２）。但し、カーソルが既に１行目にある場合は、前のページの最下行にカーソルを移動する。カーソル下ボタン３３が押下された場合、操作制御部２１２は、カーソルを１行下に移動する（ステップＳ２４３）。但し、カーソルが既に最下行にある場合は、次のページの１行目にカーソルを移動する。
【００９６】
ＯＫボタン３５が押下された場合、操作制御部２１２は、詳細設定画面群３８（図８（ｂ））のうち、カーソル行に対応する画面を表示し、その処理を行う（ステップＳ２４４）。バックボタン３４が押下された場合、操作制御部２１２は、そのまま処理を終了する。尚、詳細設定画面群３８の処理については、前記した図１５、図１６を用いた説明と重なるため、ここでの説明は省略する。
【００９７】
以上のように、印刷制御部１１及び操作制御部２１２が行う、用紙カセット２０が引き出された際の、用紙設定画面の表示有無選択処理によれば、以下のような特徴を有する。
【００９８】
動作モードが「常に表示しない」の場合でも、過去の用紙ミスマッチエラー履歴２１９ａにある、用紙ミスマッチエラー判定期間（図１９（ｂ）参照）内の「用紙ミスマッチエラー」の発生件数が、用紙ミスマッチエラー基準値２１９ｃ（図１９（ｃ）参照）以上であった場合、用紙設定画面を表示する。
【００９９】
尚、本実施の形態では、動作モードの選択肢として「常に表示」と「常に表示しない」としたが、「常に表示しない」を「ミスマッチエラー表示」として、「ミスマッチエラー表示」の処理であることを明確にしてもよい。
【０１００】
従って、本実施の形態の画像形成装置２によれば、用紙カセットの操作時において、用紙ミスマッチエラーが発生する頻度が高い状況にある場合には、自動的に用紙設定画面が表示されるため、ユーザーは、用紙設定の変更を含む記録用紙の補充動作を、円滑に処理することが可能となる。
【０１０１】
実施の形態３．
図２６は、本発明に係る実施の形態３の、画像形成装置３の制御系の要部構成を示すブロック図である。
【０１０２】
この画像形成装置３が、前記した図１に示す実施の形態１の画像形成装置１と主に異なる点は、操作制御部３１２の記憶部３１９の記憶内容と、操作制御部３１２による動作処理内容である。従って、図２６に示す実施の形態３の画像形成装置３が、前記した図１に示す実施の形態１の画像形成装置１と共通する部分には同符号を付して、或いは図面を省いて説明を省略し、異なる点を重点的に説明する。
【０１０３】
データ格納部としての記憶部３１９には、用紙設定変更履歴３１９ａ、用紙設定変更期間３１９ｂ、用紙設定変更履歴判定期間３１９ｃ、変更実績基準値３１９ｄ、用紙設定変更有無３１９ｅ、動作モードテーブル３１９ｆ、用紙設定項目テーブル３１９ｇを格納する各格納部が備えられている。
【０１０４】
図２７（ａ）は、表示操作制御部としての操作制御部３１２の記憶部３１９に格納された用紙設定変更履歴３１９ａの内容を示す表であり、発生番号１〜１０で示す用紙設定変更が、各発生番号に対応するカセット操作日時に発生したことを記憶している。尚、用紙設定変更の発生日時が媒体設定変更の発生タイミング情報に相当し、各発生番号に対応する用紙設定変更発生事例を、以後、用紙設定変更履歴要素と称す場合がある。
【０１０５】
図２７（ｂ）は、操作制御部３１２の記憶部３１９の用紙設定変更期間３１９ｂの格納部に格納されたテーブルであり、後述する用紙設定変更を行う際の制限時間（ここでは１０分）を格納し、図２７（ｃ）は、操作制御部３１２の記憶部３１９の用紙設定変更履歴判定期間３１９ｃの格納部に格納されたテーブルであり、ここでは判定対象期間としての用紙設定変更履歴判定期間３１９ｃとして５日間が設定されている。尚、用紙設定変更履歴判定期間は、後述するように、用紙設定画面の表示要否を判定する際に、用紙設定変更の発生期間を、どの時点まで遡って判定するか、その期間を示している。ここでは日単位で設定される。
【０１０６】
図２７（ｄ）は、操作制御部３１２の記憶部３１９の変更実績基準値３１９ｄの格納部に格納されたテーブルであり、ここでは変更実績基準値３１９ｄとして３が設定されている。尚、第６の基準値としての変更実績基準値は、後述するように、用紙設定画面の表示要否の判定に利用される基準値である。図２７（ｅ）は、操作制御部３１２の記憶部３１９の用紙設定変更有無３１９ｅの格納部に格納されたテーブルであり、後述するように用紙設定の変更の有無を保持する。
【０１０７】
操作制御部２１２の記憶部２１９に格納された動作モードテーブル３１９ｆは、ここでは、前記図２０で示した動作モードテーブル２１９ｄと同一であるため、ここでの説明は省略し、同じく記憶部２１９に格納された用紙設定項目テーブル３１９ｇは、ここでは前記図６で示した用紙設定項目テーブル１９ｈと同一であるため、ここでの説明は省略する。更に操作パネル１７の構成、操作方法、及び操作に伴う表示内容において、前記した実施の形態１の、図７、図８、図１５、図１６を用いて説明した構成及び動作に関しては、同一の説明となるため、ここでの記述を省略する。
【０１０８】
以上の構成において、印刷制御部１１及び操作制御部３１２が行う、用紙カセット２０が引き出された際の、用紙設定画面の表示有無選択処理の内容について説明する。図２８は、このとき実施される処理の流れを示すフローチャートであり、このフローチャートに沿って説明する。
【０１０９】
印刷制御部１１は、カセット検知部１５からの情報により、用紙カセット２０が引き出されたか否かを監視し（ステップＳ３０１）、引き出されたことを検知すると（ステップＳ３０１，Ｙｅｓ）、操作制御部３１２に通知する。
【０１１０】
操作制御部３１２は、この通知を受けて、現在の日時をカセット操作日時として一時的に保持し（ステップＳ３０２）、更に、現時点での用紙設定値、即ち用紙設定項目テーブル３１９ｇ（＝１９ｈであり、図６参照）の現在の設定値を、旧設定値として一時的に保持する（ステップＳ３０３）。次に操作制御部３１２は、用紙設定変更有無３１９を「無し」に設定し、計時を開始する（ステップＳ３０５）。このステップＳ３０５の内容については、後で詳しく説明する。
【０１１１】
次に操作制御部３１２は、動作モードの現在の設定値、即ち動作モードテーブル３１９ｆ（＝２１９ｄであり、図２０参照）の現在の設定値を判定し（ステップＳ３０６）、設定値が「常に表示する」の場合、用紙設定画面を表示し（ステップＳ３０８）、設定値が「常に表示しない」の場合、後述する「常に表示しない」の動作を実行する（ステップＳ３０７）。尚、ステップＳ３０８での表示動作については、後述する（図３１参照）。
【０１１２】
図３０は、図２８のフローチャートのステップＳ３０７での「常に表示しない」を実行したときの動作の流れを示すフローチャートである。同フローチャートを参照しながらその動作について説明する。
【０１１３】
操作制御部３１２は、用紙設定画面の表示の要否を判定し（ステップＳ３２１）、判定結果が「要」の場合（ステップＳ３２２、Ｙｅｓ）、用紙設定画面を表示し（ステップＳ３２３）、判定結果が「否」の場合（ステップＳ３２２、Ｎｏ）、用紙設定画面を表示せずにフローを終了する。尚、ステップＳ３２３での表示動作については、後述する（図３１参照）。
【０１１４】
図２９は、図３０のフローチャートのステップＳ３２１での「用紙設定画面の表示の要否を判定する」の動作の流れを示すフローチャートである。同フローチャートを参照しながら「用紙設定画面の表示の要否の判定」動作について説明する。
【０１１５】
操作制御部３１２は、先ず用紙設定変更回数＝０とする（Ｓ３１１）。そして、ステップＳ３２２〜ステップＳ３２５までの間に、「用紙設定変更」の発生件数を、用紙設定変更履歴判定期間３１９ｃ（図２７（ｃ）参照）だけ遡ってカウントする。
【０１１６】
このため、用紙設定変更履歴３１９ａにある用紙設定変更発生例（用紙設定変更履歴要素：ここでは発生番号１〜１０の事例）を集合４として確保し（ステップＳ３１２）、このステップＳ３１２からステップＳ３１５までの間に、集合４に対して用紙設定変更履歴判定期間内に発生した事例か否かを順次判別し（ステップＳ３１３）、判定期間内の事例であった場合には（ステップＳ３１３、Ｙｅｓ）、用紙設定変更回数を１カウントアップする（ステップＳ３１４）。
【０１１７】
例えば、図２７（ａ）に示す用紙設定変更履歴３１９ａの場合、用紙設定変更履歴判定期間を（５日）とすると、現日時１１月４日から４日前の１０月３１日以降に発生した事例（用紙設定変更履歴要素数）をカウントすることになるので、用紙設定変更発生回数は「７」になる。
【０１１８】
操作制御部３１２は、カウントした用紙設定変更発生回数が、変更実績基準値３１９ｄ（図２７（ｄ）参照）以上か否かを判定し（ステップＳ３１６）、基準値以上の場合（ステップＳ３１６、Ｙｅｓ）、判定結果を「要」とし（ステップＳ３１７）、基準値３１９ｄ未満の場合（ステップＳ３１６、Ｎｏ）判定結果を「否」とし（ステップＳ３１８）、このフローを終了する。
【０１１９】
図３１は、前記したステップＳ３０８（図２８）、ステップＳ３２３（図３０）等で、操作パネル１７（図７）の液晶ディスプレイ３１に用紙設定画面（図８（ａ）参照）を表示した際の、用紙設定動作の流れを示すフローチャートであり、同フローチャートを参照しながら用紙設定動作について説明する。
【０１２０】
操作制御部３１２は、ユーザーによる操作ボタンの操作を監視し、操作された場合はそのボタン操作を判定する（ステップＳ３３１）。カーソル上ボタン３２が押下された場合、操作制御部１２は、カーソルを１行上に移動する（ステップＳ３３２）。但し、カーソルが既に１行目にある場合は、前のページの最下行にカーソルを移動する。カーソル下ボタン３３が押下された場合、操作制御部３１２は、カーソルを１行下に移動する（ステップＳ３３３）。但し、カーソルが既に最下行にある場合は、次のページの１行目にカーソルを移動する。
【０１２１】
ＯＫボタン３５が押下された場合、操作制御部３１２は、詳細設定画面群３８（図８（ｂ））のうち、カーソル行に対応する画面を表示し、その処理を行う（ステップＳ３３４）。尚、詳細設定画面群３８の処理については、前記した図１５、図１６を用いた説明と重なるため、ここでの説明は省略する。
【０１２２】
バックボタン３４が押下された場合、操作制御部３１２は、ステップＳ３０３（図２８）で得た旧設定値と、用紙設定項目の現在の設定値（用紙設定項目テーブル１９ｈ（図６）の現在の設定値に相当）とを比較し（ステップＳ３３５）、一致する場合（ステップＳ３３５、Ｙｅｓ）、そのまま処理を終了し、一致しない場合（ステップＳ３３５、Ｎｏ）、用紙設定変更有無３１９ｅ（図２７（ｅ）参照）に「有り」を記憶する（ステップＳ３３６）。
【０１２３】
図３２は、ステップＳ３０５（図２８）で計時が開始された際の操作制御部３１２による計時中動作を示すフローチャートである。ここでの動作は、計時の開始でスタートし、経過時間が用紙設定変更期間３１９ｂ（図２７（ｂ））を超えないか否かを監視し（ステップＳ３４１）、超えない場合（ステップＳ３４１、Ｎｏ）、用紙設定変更の有無を判定し（ステップＳ３４２）、超えた場合には（ステップＳ３４１、Ｙｅｓ）、フローを終了する。
【０１２４】
ステップＳ３４２において、用紙設定変更が「無し」の場合には（ステップＳ３４２、「無し」）、ステップＳ３４１に戻り、「有り」の場合には（ステップＳ３４２、「有り」）、用紙設定変更履歴３１９ａ（図２７（ａ）参照）の、次の発生番号（連番）の行に、新たな用紙設定変更履歴要素、即ちステップＳ３０３で一時保存したカセット操作日時を追加記録し（Ｓ３４３）、フローを終了する。
【０１２５】
即ち、操作制御部３１２は、このフローにより、用紙カセット２０が引き出された後、用紙設定変更期間３１９ｂ内に、ユーザーによって用紙設定変更が行われた場合には、そのカセット操作日時を新たな用紙設定変更履歴要素として用紙設定変更履歴３１９ａに登録する。
【０１２６】
以上のように、印刷制御部１１及び操作制御部３１２が行う、用紙カセット２０が引き出された際の、用紙設定画面の表示有無選択処理によれば、以下のような特徴を有する。
【０１２７】
・動作モードが「常に表示しない」の場合でも、過去の用紙設定変更履歴３１９ａにある、用紙設定変更履歴判定期間３１９ｃ（図２７（ｃ）参照）内の「用紙設定変更」の発生件数が、変更実績基準値３１９ｄ（図２７（ｄ）参照）以上であった場合、用紙設定画面を表示する。
・用紙カセット２０が引き出されてから、所定時間（用紙設定変更期間３１９ｂ）内に用紙設定の変更があった場合、そのカセット操作日時を用紙設定変更履歴３１９ａに登録する。
【０１２８】
尚、本実施の形態では、動作モードの選択肢として「常に表示」と「常に表示しない」としたが、「常に表示しない」を例えば「用紙設定変更頻度」として、用紙設定変更の頻度に基づいて「用紙設定画面」の表示の有無が判断される処理であることを明確にしてもよい。
【０１２９】
従って、本実施の形態の画像形成装置３によれば、用紙カセットの操作時において、用紙設定変更が発生する頻度が高い環境にある場合には、自動的に用紙設定画面が表示されるため、ユーザーは、用紙設定の変更を含む記録用紙の補充動作を、円滑に処理することが可能となる。
【０１３０】
尚、前記した実施の形態１〜３では、用紙カセット２０が引き出されるのに同期して、用紙設定画面の表示有無選択処理が実施される構成としたが、本発明はこれに限定されるものではなく、例えば、用紙カセットが引き出された後、再度装着されるのに同期して、用紙設定画面の表示有無選択処理を実施する構成とすることも可能である。
また、前記した実施の形態１〜３では、１つの用紙カセットを着脱自在に備える画像形成装置を例にして説明したが、本発明はこれに限定されるものではなく、複数の用紙カセットを着脱自在に備える画像形成装置であってもよい。
【産業上の利用可能性】
【０１３１】
本実施の形態では、画像形成装置としてプリンタを想定して説明したが、プリンタの他、複写機、ＦＡＸ、或いはこれらの装置の機能を複合させたＭＦＰ（Ｍｕｌｔｉ  Ｆｕｎｃｔｉｏｎ  Ｐｅｒｉｐｈｅｒａｌ）等の画像形成装置についても有用である。
【符号の説明】
【０１３２】
１〜３  画像形成装置、  １１  印刷制御部、  １２  操作制御部、  １３  印刷部、  １４  用紙検知部、  １５  カセット検知部、  １６  印刷制御部、  １７  操作パネル、  １８  時間管理部、  １９  記憶部、  １９ａ  用紙設定画面非表示時間帯テーブル、  １９ｂ  印刷履歴、  １９ｃ  印刷履歴判定時間、  １９ｄ  用紙設定変更履歴、  １９ｅ  用紙設定変更履歴判定期間、  １９ｆ  変更実績割合基準値、  １９ｇ  動作モードテーブル、  １９ｈ  用紙設定項目テーブル、  ２０  用紙カセット、  ２３  上位装置、  ３１  液晶ディスプレイ、  ３２  カーソル上ボタン、  ３３  カーソル下ボタン、  ３４  バックボタン、  ３５  ＯＫボタン、  ３６  テンキー、  ３７  用紙設定画面群、  ３７ａ，３７ｂ  用紙設定画面、  ３８  詳細設定画面群、  ３８ａ  用紙サイズ設定画面、  ３８ｂ  用紙幅設定画面、  ３８ｃ  用紙長設定画面、  ３８ｄ  用紙種類設定画面、  ３８ｅ  用紙厚設定画面、  ２１２  操作制御部、  ２１９  記憶部、  ２１９ａ  用紙ミスマッチエラー履歴、  ２１９ｂ  用紙ミスマッチエラー判定期間、  ２１９ｃ  用紙ミスマッチエラー基準値、  ２１９ｄ  動作モードテーブル、  ２１９ｅ  用紙設定項目テーブル、  ３１２  操作制御部、  ３１９  記憶部、  ３１９ａ  用紙設定変更履歴、  ３１９ｂ  用紙設定変更期間、  ３１９ｃ  用紙設定変更履歴判定期間、  ３１９ｄ  変更実績基準値、  ３１９ｅ  用紙設定変更有無、  ３１９ｆ  動作モードテーブル、  ３１９ｇ  用紙設定項目テーブル。
【図１】
2020192703.tif 000003
【図２】
2020192703.tif 000004
【図３】
2020192703.tif 000005
【図４】
2020192703.tif 000006
【図５】
2020192703.tif 000007
【図６】
2020192703.tif 000008
【図７】
2020192703.tif 000009
【図８】
2020192703.tif 000010
【図９】
2020192703.tif 000011
【図１０】
2020192703.tif 000012
【図１１】
2020192703.tif 000013
【図１２】
2020192703.tif 000014
【図１３】
2020192703.tif 000015
【図１４】
2020192703.tif 000016
【図１５】
2020192703.tif 000017
【図１６】
2020192703.tif 000018
【図１７】
2020192703.tif 000019
【図１８】
2020192703.tif 000020
【図１９】
2020192703.tif 000021
【図２０】
2020192703.tif 000022
【図２１】
2020192703.tif 000023
【図２２】
2020192703.tif 000024
【図２３】
2020192703.tif 000025
【図２４】
2020192703.tif 000026
【図２５】
2020192703.tif 000027
【図２６】
2020192703.tif 000028
【図２７】
2020192703.tif 000029
【図２８】
2020192703.tif 000030
【図２９】
2020192703.tif 000031
【図３０】
2020192703.tif 000032
【図３１】
2020192703.tif 000033
【図３２】
2020192703.tif 000034